(57)【要約】【課題】  室内空間に対する空気吹出し又は吸込みの量をその調整具合を把握可能としつつ確実に調整制御でき、設置コストも抑えられる制気口装置を提供する。【解決手段】  制気口本体１０内において調整ねじ軸３０で下から支持されるシャッター部４０が、調整ねじ軸頭部３２を上から操作可能に露出させ、制気口本体１０に螺合させた調整ねじ軸３０を操作用器具で操作して螺動させると、調整ねじ軸頭部３２と共にシャッター部４０が上下に移動して、床下側開口部１３と、制気口本体内部空間のうちシャッター部４０より上側でフェース部２０の貫通孔を通じて室内空間に連通する領域との、連通の度合いを変化させることから、調整ねじ軸３０の螺動に基づくシャッター部４０の上下動で床下側開口部１３に対し流入又は流出する空気量を確実に変えて、室内への空気吹出し量又は室内からの空気吸込み量を適切に調整できる。【選択図】  図１
2015021660.tif 000002
【特許請求の範囲】
【請求項１】
空気調和対象の室内空間に面する開口を有して前記室内空間の床に配設され、床下側から供給される調和空気を前記開口から室内空間側に吹出す、又は室内空間の空気を前記開口を通じて床下側に吸込む、制気口装置において、
中空の略箱状体で形成され、二重床をなす床パネルにおける設備用開口に配設され、前記床パネル下側の空間又は床パネル下側に設置されるダクトに連通する一又は複数の床下側開口部を側面部分に設けられると共に、室内空間に連通する室内側開口部を上部に設けられる制気口本体と、
前記開口としての貫通する孔を中央部分に複数穿設され、前記制気口本体の室内側開口部に前記孔を連通させた状態で制気口本体上側に配設される略枠状のフェース部と、
前記制気口本体の下部に螺合して制気口本体内に上向きに突出状態として配設される調整ねじ軸と、
前記制気口本体の内部空間の横断面形状と略一致する形状として制気口本体内に上下動可能に配設される略板状のシャッター部とを備え、
前記調整ねじ軸の頭部が、シャッター部に対する相対回転を許容されつつシャッター部の下部に接してシャッター部を下から支持すると共に、シャッター部に設けられた貫通孔を通じて頭部上面の少なくとも一部を露出させ、当該露出部分に所定の操作用器具を上方から係合可能とされ、
前記調整ねじ軸が、前記頭部の露出部分に係合させた前記操作用器具の操作で螺動して、頭部上側の前記シャッター部の制気口本体内での上下方向位置を変えることを
特徴とする制気口装置。
【請求項２】
前記請求項１に記載の制気口装置において、
前記シャッター部が、周縁部に上及び／又は下方向へ突出する所定高さの側壁部を形成され、
前記制気口本体内部空間の横断面形状及びシャッター部の平面視形状が所定の対称形状とされると共に、シャッター部に対する調整ねじ軸の中心位置が、シャッター部の対称形状の中心に一致する配置とされて、シャッター部の天地を入替えて制気口本体内に配設した場合でも、調整ねじ軸部の頭部がシャッター部の貫通孔位置で前記操作用器具により操作可能に露出する状態となることを
特徴とする制気口装置。
【請求項３】
前記請求項１又は２に記載の制気口装置において、
前記フェース部の孔のうち、少なくとも調整ねじ軸頭部の上方の孔が、当該孔を通じた前記操作用器具の制気口本体内への挿入、及び、操作用器具の調整ねじ軸操作に伴う動きを許容する大きさとされることを
特徴とする制気口装置。
【発明の詳細な説明】
【技術分野】
【０００１】
本発明は、フリーアクセスフロア等の二重床における上側の床に設けられる吹出口又は吸込口である制気口装置に関し、特に、床パネルの設備用開口に配設される小型の装置に関する。
【背景技術】
【０００２】
吹出口や吸込口などの制気口を室内空間の床に設ける場合、空気の吹出し量や吸込み量を調整するための風量調整機構を合わせて設けることが多かった。
その場合、風量調整機構としては、周側面に複数の孔を穿設した円筒状の制気口の本体ケーシングに対し、同じく周側面に複数の孔を穿設した円筒状のシャッターを回転させて、孔同士の横に重なり合う範囲の大小を調整する機構や、制気口の本体底部に設けた複数の孔の空いた円板部に対し、これに隣接する同じく複数の孔の空いた円板を回転させて、孔同士の上下に重なり合う範囲の大小を調整する機構が、従来一般的に採用されていた。
このような従来の制気口装置における風量調整機構の例として、特開平１０−３０６９４２号公報に記載されるものがある。
【先行技術文献】
【特許文献】
【０００３】
【特許文献１】特開平１０−３０６９４２号公報
【発明の概要】
【発明が解決しようとする課題】
【０００４】
従来の制気口装置は前記特許文献に示される構成となっており、こうした床設置型の制気口装置は人の手の届きやすい床に存在する関係上、人が直接手や操作用器具を用いるなどして比較的簡単に風量調整機構を操作して、吹出し量又は吸込み量を変えることができた。しかしながら、前記特許文献に示されるように、従来の風量調整機構は円筒状のシャッターや円板を回転させるものとなっており、これら機構は床下に隠れて室内側からは見えないことから、操作によりどの程度の風量調整状態になったかが判断しにくく、通常は、調整操作の結果得られる吹出し量や吸込み量から調整具合を把握する他なく、調整の操作性がよくないという課題を有していた。
【０００５】
本発明は前記課題を解消するためになされたもので、室内空間に対する空気吹出し又は吸込みの量をその調整具合を把握可能としつつ確実に調整制御でき、設置コストも抑えられる制気口装置を提供することを目的とする。
【課題を解決するための手段】
【０００６】
本発明に係る制気口装置は、空気調和対象の室内空間に面する開口を有して前記室内空間の床に配設され、床下側から供給される調和空気を前記開口から室内空間側に吹出す、又は室内空間の空気を前記開口を通じて床下側に吸込む、制気口装置において、中空の略箱状体で形成され、二重床をなす床パネルにおける設備用開口に配設され、前記床パネル下側の空間又は床パネル下側に設置されるダクトに連通する一又は複数の床下側開口部を側面部分に設けられると共に、室内空間に連通する室内側開口部を上部に設けられる制気口本体と、前記開口としての貫通する孔を中央部分に複数穿設され、前記制気口本体の室内側開口部に前記孔を連通させた状態で制気口本体上側に配設される略枠状のフェース部と、前記制気口本体の下部に螺合して制気口本体内に上向きに突出状態として配設される調整ねじ軸と、前記制気口本体の内部空間の横断面形状と略一致する形状として制気口本体内に上下動可能に配設される略板状のシャッター部とを備え、前記調整ねじ軸の頭部が、シャッター部に対する相対回転を許容されつつシャッター部の下部に接してシャッター部を下から支持すると共に、シャッター部に設けられた貫通孔を通じて頭部上面の少なくとも一部を露出させ、当該露出部分に所定の操作用器具を上方から係合可能とされ、前記調整ねじ軸が、前記頭部の露出部分に係合させた前記操作用器具の操作で螺動して、頭部上側の前記シャッター部の制気口本体内での上下方向位置を変えるものである。
【０００７】
このように本発明によれば、制気口本体内において調整ねじ軸で下から支持されるシャッター部が、調整ねじ軸頭部を上から操作可能に露出させ、制気口本体に螺合させた調整ねじ軸を操作用器具で操作して螺動させると、調整ねじ軸頭部と共にシャッター部が上下に移動して、床下側開口部に対するシャッター部の相対位置を変えて、床下側開口部と、制気口本体内部空間のうちシャッター部より上側でフェース部の孔を通じて室内空間に連通する領域との、連通の度合いを変化させることにより、調整ねじ軸の螺動に基づくシャッター部の上下動で床下側開口部に対し流入又は流出する空気量を確実に変えて、室内への空気吹出し量又は室内からの空気吸込み量を適切に調整できる。また、シャッター部の上下位置を調整するにあたり、螺動する調整ねじ軸の頭部がシャッター部と共に上下動することにより、調整ねじ軸の頭部位置に応じた高さ位置となる操作用器具の状態からシャッター部の位置並びに床下側開口部の開度を判別でき、室内空間に対する空気吹出し量又は吸込み量の調整具合を把握した上で適切に操作、調整が行える。
【０００８】
また、本発明に係る制気口装置は必要に応じて、前記シャッター部が、周縁部に上及び／又は下方向へ突出する所定高さの側壁部を形成され、前記制気口本体内部空間の横断面形状及びシャッター部の平面視形状が所定の対称形状とされると共に、シャッター部に対する調整ねじ軸の中心位置が、シャッター部の対称形状の中心に一致する配置とされて、シャッター部の天地を入替えて制気口本体内に配設した場合でも、調整ねじ軸部の頭部がシャッター部の貫通孔位置で前記操作用器具により操作可能に露出する状態となるものである。
【０００９】
このように本発明によれば、シャッター部の周縁部に突出状態の側壁部が形成されると共に、シャッター部がその天地を反転させた状態でも制気口本体内に配置可能で且つ調整ねじ軸頭部と共に上下動可能な形状とされ、調整ねじ軸の頭部に対するシャッター部最上部の相対位置を、シャッター部の天地を通常の向きとした場合と反転させた場合とで、側壁部の存在の分だけ異ならせるようにすることにより、調整ねじ軸頭部が同じ位置でも、シャッター部が通常の状態と天地を反転させた状態とで、床下側開口部とシャッター部より上に位置して室内側に連通する内部空間領域との連通経路の大きさが変化することとなり、シャッター部の天地の向きを適宜選択して調整ねじ軸の頭部を操作することで、二種類の特性で床下側開口部と内部との連通状態の調整が行え、様々な空気調和の状況により柔軟に対応して空気の吹出し量又は吸込み量の調整が行える。また、調整ねじ軸の操作に基づくシャッター部の上下動とは別に、シャッター部の天地を反転させれば空気の吹出し量又は吸込み量を所定量増大又は減少させる調整が行え、目的とする増減量が対応していればシャッター部の向きを変えるのみで済み、操作用器具を用いて調整ねじ軸を螺動させてシャッター部を動かす手間と時間を省略でき、簡略且つ速やかに調整を実行できる。
【００１０】
また、本発明に係る制気口装置は必要に応じて、前記フェース部の孔のうち、少なくとも調整ねじ軸頭部の上方の孔が、当該孔を通じた前記操作用器具の制気口本体内への挿入、及び、操作用器具の調整ねじ軸操作に伴う動きを許容する大きさとされるものである。
【００１１】
このように本発明によれば、フェース部における少なくとも調整ねじ軸上方に位置する孔を、操作用器具の挿入と調整ねじ軸に対する操作に基づく操作用器具の動きとをそれぞれ許容する大きさとして、調整ねじ軸の操作を、フェース部の孔を通して挿入した操作用器具で行えるようにすることにより、調整ねじ軸を操作してシャッター部を上下動させて行う空気の吹出し量又は吸込み量の調整を、フェース部を取り外すことなく実行できることとなり、調整にあたりフェース部を取り外す手間が省け、操作性が向上する一方、フェース部で隠されたシャッター部の位置は、調整ねじ軸を操作する操作用器具の位置から判別でき、空気の吹出し量又は吸込み量の調整具合の把握も問題なく行える。
【図面の簡単な説明】
【００１２】
【図１】本発明の一実施形態に係る制気口装置の平面図及び正面図である。
【図２】本発明の一実施形態に係る制気口装置の底面図である。
【図３】本発明の一実施形態に係る制気口装置におけるフェース及びシャッター部の取外し状態概略説明図である。
【図４】図１のＡ−Ａ断面図及びＢ−Ｂ断面図である。
【図５】本発明の一実施形態に係る制気口装置におけるシャッター部の下限位置配置状態及び床下側開口部閉塞状態の各説明図である。
【図６】本発明の一実施形態に係る制気口装置における天地を反転させたシャッター部の下限位置配置状態及び上限位置配置状態の各説明図である。
【図７】本発明の他の実施形態に係る制気口装置における調整ねじ軸頭部とシャッター部貫通孔の概略形状説明図である。
【図８】本発明の他の実施形態に係る制気口装置の正面図である。
【発明を実施するための形態】
【００１３】
以下、本発明の一実施形態に係る制気口装置を前記図１ないし図６に基づいて説明する。本実施形態においては、制気口装置が吸込口として用いられる例を説明する。
前記各図において本実施形態に係る制気口装置１は、床下地の上側にフリーアクセスフロア（二重床）として多数配設される床パネル６０の設備用開口６１に挿入配設される略箱状の制気口本体１０と、この制気口本体１０上側に配設されて床面の一部をなすフェース部２０と、制気口本体１０下部に螺合して制気口本体内部に突出する状態とされる調整ねじ軸３０と、この調整ねじ軸３０上部と係合して制気口本体１０内部に上下動可能として配設される略板状のシャッター部４０とを備える構成である。
【００１４】
前記制気口本体１０は、上部が開口する略立方体状の略箱状体として形成され、上端部が外側方へ鍔状に拡張形成され、この上端部が上側の床６２をなす床パネル６０における設備用開口６１周縁部に載置されて、設備用開口６１に挿入配設される構成である。なお、床パネル６０の設備用開口６１は、床パネル端部の切欠き部を向かい合わせることで生じる、例えばコンセント等の設備の設置を目的とする公知の略方形の開口であり、大きさはほぼ一定（各辺が９０ｍｍ前後）となっている。
【００１５】
制気口本体１０上部は、略方形開口断面の室内側開口部１２として、制気口本体１０とは別体となる前記フェース部２０を嵌合される構成である。
また、制気口本体１０下部の周側面部分には、略方形開口断面の制気口本体内部空間と床パネル下側の床下空間又は床パネル下に設けられた床下ダクトとを連通させる略矩形状の床下側開口部１３が複数穿設される。さらに、制気口本体１０内部にはその周側面に沿って上下動可能にシャッター部３０が配設される構成である。
【００１６】
この制気口本体１０は、制気口本体１０上側に配置されたフェース部２０の孔を介して室内空間の空気を吸込み、この空気を床下側開口部１３を通じて空気通路をなす床下空間へ送出す仕組みである。
【００１７】
一方、制気口本体１０を吹出口として用いる場合には、調和空気の供給部となる床下空間又は床下ダクトから床下側開口部１３を通じて調和空気が供給されることとなる。この調和空気を、制気口本体１０上側のフェース部２０の孔２１を介して室内空間に送出す仕組みである。
【００１８】
前記フェース部２０は、複数の孔２１が上下貫通状態で穿設される方形枠状体とされ、厚みの大きい中央部分を制気口本体１０の室内側開口部１２に着脱可能に嵌合配設される構成である。このフェース部２０の中央部分は格子状に形成されて、同じ大きさの略矩形断面形状の孔２１が縦横に複数並んだ状態とされる。
【００１９】
また、フェース部２０の周縁部下面側には、制気口本体１０の鍔状の上端部に接した状態となる段部２２が形成され、フェース部２０上面を周囲の床仕上げ面と略同じ高さに位置させると共に、フェース部２０に上から加わった力が制気口本体１０上端部を通じて床パネル６０に伝わるようにして、フェース部２０をずれなく支持可能とする仕組みである。
【００２０】
前記調整ねじ軸３０は、制気口本体１０の底部中央に螺合するねじ部３１と操作用器具（例えば、ねじ回し）５０の端部を係合可能な頭部３２とを有する構成であり、制気口本体１０内に一部挿入した操作用器具５０による室内側からの操作で制気口本体１０に対し螺動し、制気口本体１０底部に対する位置関係を変化させ、ねじ軸頭部３２の上下位置を変化させてこれに支持されるシャッター部４０の上下位置を調整可能とするものである。この調整ねじ軸３０は、その螺動範囲がシャッター部４０をフェース部２０下側に近接させる状態から制気口本体１０底面に近づく状態まで移動させられるように、ねじ部３１の長さを設定されている。そして、調整ねじ軸３０の頭部３２上面には、操作用器具５０の端部を係合させる係合穴部３３が設けられる。
【００２１】
この調整ねじ軸３０の頭部３２はフェース部２０の中央の孔２１の真下に位置する状態とされており、このフェース部２０の中央の孔２１を通じて挿入された操作用器具５０で調整ねじ軸３０を操作可能とされる。なお、フェース部２０の中央の孔２１は、この孔を通じた操作用器具５０の制気口本体１０内への挿入、及び、操作用器具５０の調整ねじ軸操作に伴ういずれの動きも許容する大きさとされており、孔２１を通した状態でも問題なく操作用器具５０を操作可能である。
【００２２】
なお、この調整ねじ軸３０は、フェース部２０を制気口本体１０から取外した状態で、制気口本体１０の室内側開口部１２を通じた室内側からの操作用器具５０等を用いた操作で制気口本体１０に対し螺動させるようにしてもよい。
【００２３】
前記シャッター部４０は、平面視形状が前記制気口本体内部空間の横断面形状と同様の対称な略方形状となる略板状体で形成され、制気口本体１０の各側面内周部に周縁部を近接させつつ上下動可能として制気口本体１０内に配設される構成である。このシャッター部４０は、制気口本体１０周側面の床下側開口部１３の、シャッター部４０より上側の制気口本体１０内部空間に対する連通状態を変化させ、制気口本体１０内部から床下空間への空気移動量、すなわち、空気吸込み量を調整するものである。
シャッター部４０における周縁部には、上方向へ突出する所定高さの側壁部４１が形成され、この側壁部４１も制気口本体１０の各側面内周部に近接する状態となっている。
【００２４】
また、このシャッター部４０は、中央部分に貫通孔４２を穿設され、この貫通孔４２に調整ねじ軸３０の頭部３２の一部を下から嵌合させると共に、貫通孔４２の周囲部分下側に調整ねじ軸３０の頭部３２の他部分を当接させて、この頭部３２に下から支えられる状態となっており、調整ねじ軸３０の螺動に伴う頭部３２のシャッター部４０に対する相対回転を許容しながら、頭部３２の上下動に合わせて制気口本体１０内で上下動する仕組みである。
【００２５】
シャッター部４０中央の貫通孔４２は、調整ねじ軸３０の頭部３２における係合穴部３３を上方に対し露出させた状態としており、この露出した頭部の係合穴部３３に操作用器具５０の端部を係合させて調整ねじ軸３０を操作可能としている。
【００２６】
このシャッター部４０中央の貫通孔４２周囲下側には調整ねじ軸３０の頭部３２が当接して貫通孔４２への嵌合部分と共に貫通孔４２を下から塞ぐ状態となっていることで、貫通孔４２を通じた制気口本体１０内におけるシャッター部４０を挟む上下の空間の間での空気の流通が生じにくい構造となっており、シャッター部４０の上下動で床下側開口部１３とシャッター部上側の空間領域との連通状態を変えるにあたって、このシャッター部上側や側方以外からの床下空間への空気の漏れを確実に防いで、適切に吸込み量の調整が行える。
【００２７】
このシャッター部４０は、その平面視形状が対称な方形状とされ、調整ねじ軸３０の一部を嵌合させる貫通孔４２もシャッター部４０の中心に一致する配置とされていることで、シャッター部４０の天地を入替えた状態でも制気口本体１０内にシャッター部４０を配設し、且つ貫通孔４２に調整ねじ軸３０の一部を嵌合させつつシャッター部４０が頭部３２に支持される状態を得られる仕組みである。
【００２８】
そして、シャッター部４０はその周縁部に上方向へのみ突出する側壁部４１を形成されていることで、シャッター部４０の天地を入替えた場合、シャッター部４０を調整ねじ軸頭部３２に支持させた制気口本体内への配置状態で、調整ねじ軸頭部３２に対するシャッター部４０の上端位置が元の天地が通常の状態から変化する。すなわち、シャッター部４０の調整ねじ軸３０に対する向きの設定で、調整ねじ軸頭部３２に対するシャッター部４０の上端位置を二通り生じさせられる仕組みである。
【００２９】
次に、前記構成に基づく制気口装置における空気吸込み量の調整状態について説明する。前提として、室内空間には別途調和空気が吹出される一方、室内空間から室内空気が制気口装置に吸込まれて排出され、定常的に室内空間の圧力はほぼ一定に保たれているものとする。
【００３０】
床パネル６０下側の床下空間側からの吸込みにより、室内空気は、フェース部２０の各孔２１を垂直下向きに進んで制気口本体１０の内部に達し、シャッター部３０の上側で横向きに進行方向を変えて、制気口本体１０における床下空間側の床下側開口部１３を通過し、床下空間に進行する。
【００３１】
室内空気の吸込み量調整を行う場合、フェース部２０の中央の孔２１を通じて操作用器具５０端部を調整ねじ軸３０の頭部に係合させ、制気口本体１０に対し調整ねじ軸３０を螺動させて、シャッター部４０を上下動させる。
【００３２】
床下側開口部１３のうちシャッター部４０上側の制気口本体１０内部空間と床下空間とを連通させる開口領域の大きさは、シャッター部４０の上下位置により調整され、この開口領域の大きさで、室内空間から制気口本体１０内に吸込まれ、さらに床下空間に進む空気量が決まる。
【００３３】
シャッター部４０を上方へ移動させ、床下側開口部１３のシャッター部４０より上側の開口領域を小さくすると、空気の通過量が抑えられる分、空気の吸込み量が小さくなる。シャッター部４０を上昇させてフェース部２０にある程度近付けると、シャッター部４０の上端位置が床下側開口部１３の上縁に達して、床下側開口部１３がシャッター部４０より上側に開口領域を有しない状態に至る（図５（Ｂ）参照）。これにより床下側開口部１３とシャッター部上側の内部空間との連通がシャッター部周囲のわずかな隙間でのみ生じる状態となり、空気の通過量はわずかなものとなるが、空気の吸込みは依然なされることとなる。このため、確実に吸込みを抑える場合、シャッター部４０の上端がフェース部２０下部に近接する上方への移動限界位置までシャッター部４０を上げ、連通がほぼ断たれた全閉状態とすると、室内空気の吸込みが停止することとなる。
【００３４】
一方、シャッター部４０を下方へ移動させ、床下側開口部１３のシャッター部４０より上側の開口領域を大きくすると、空気の通過量が増大する分、空気の吸込み量が大きくなる。シャッター部４０を、調整ねじ軸３０の頭部３２又はシャッター部４０下部が制気口本体１０の底部に近接する下方への移動限界位置まで下げると、床下側開口部１３のシャッター部４０より上側の開口領域が最も大きくなり、室内空気の吸込み量を調整可能な範囲内での最大量とすることができる。
【００３５】
操作用器具５０の操作で調整ねじ軸３０を螺動させてシャッター部４０を上下動させる中、ねじ軸頭部３２の位置に基づく操作用器具５０の操作位置から、シャッター部４０の位置を把握でき、シャッター部４０の向きが既知であれば床下側開口部１３のシャッター部４０より上側の開口領域の大きさも判別でき、おおよその吸込み量を推定できる。
【００３６】
なお、シャッター部４０の天地方向の向きを変えて制気口本体１０内に配設することで、調整ねじ軸頭部３２に対するシャッター部４０の上端位置を二通り生じさせることができ、このシャッター部４０の上端位置が変わることで、調整ねじ軸３０を螺動させての空気吸込み量の調整具合が、シャッター部４０の天地を通常の向きとした場合と反転させた場合とで、互いに異なるものとなる。
【００３７】
具体的には、側壁部４１が上側に位置しているシャッター部４０が通常の向きの場合に対し、シャッター部４０の天地を反転させて側壁部４１の突出する向きが下となるようにした場合（図６参照）、シャッター部４０上側に側壁部が無い分、調整ねじ軸頭部３２の位置が同じでも、シャッター部４０上端が下がって、床下側開口部１３のシャッター部４０より上側の開口領域が通常の場合より大きくなるなど、空気の吸込み量が多くなる。
【００３８】
空気の吸込み量を小さくするためにシャッター部４０を上方へ移動させる際、シャッター部４０上側に側壁部が無いことから、シャッター部４０上端位置がフェース部２０下部に近接する状態での調整ねじ軸頭部３２の位置は通常の場合より上側となり（図６（Ｂ）参照）、シャッター部４０がフェース部２０下部に近接することで、床下側開口部１３と室内空間との連通が断たれた全閉状態となる。
【００３９】
この他、シャッター部４０を下方への移動限界位置（図６（Ａ）参照）まで下げて得られる、室内空気の最大吸込み量は、シャッター部４０上側に側壁部が無い分、床下側開口部１３のシャッター部４０より上側の開口領域が広がることで、通常の場合より大きくすることができる。
【００４０】
こうして、シャッター部４０の天地を反転させた場合では、シャッター部４０が通常の向きの場合とは、調整ねじ軸頭部３２の位置が同じであっても異なる吸込み量となり、特に調整ねじ軸頭部３２に対するシャッター部４０の上端位置が通常の場合より下側となって、全閉状態を得るには調整ねじ軸３０をより多く螺動させてその頭部をより上方まで移動させる必要があるなど、調整ねじ軸３０を螺動させて移動させる範囲が拡大するものの、空気の吸込み量の調整範囲も大きくなり、吸込み量の調整をより広い範囲で行いたい場合に適したものとなる。
【００４１】
実際にシャッター部４０の天地の向きを変えるには、フェース部２０を取外した状態で室内側開口部１２を通じて制気口本体１０内のシャッター部４０を一旦制気口本体１０内から取り外し（図３参照）、天地を逆にした状態で再び制気口本体１０内に挿入して、貫通孔４２と調整ねじ軸３０頭部とを係合させるようにすればよい。
【００４２】
このように、本実施形態に係る制気口装置においては、制気口本体１０内で調整ねじ軸３０により下から支持されるシャッター部４０が、調整ねじ軸頭部３２を上から操作可能に露出させ、制気口本体１０に螺合させた調整ねじ軸３０を操作用器具５０で操作して螺動させると、調整ねじ軸頭部３２と共にシャッター部４０が上下に移動して、床下側開口部１３に対するシャッター部４０の相対位置を変えて、床下側開口部１３と、制気口本体内部空間のうちシャッター部４０より上側でフェース部２０の孔２１を通じて室内空間に連通する領域との、連通の度合いを変化させることで、調整ねじ軸３０の螺動に基づくシャッター部４０の上下動で床下側開口部１３から流出する空気量を確実に変えて、室内からの空気吸込み量を適切に調整できる。また、シャッター部４０の上下位置を調整するにあたり、螺動する調整ねじ軸３０の頭部３２がシャッター部と共に上下動することにより、調整ねじ軸３０の頭部位置に応じた高さ位置となる操作用器具５０の状態からシャッター部４０の位置並びに床下側開口部１３の開度を判別でき、室内空間に対する空気吸込み量の調整具合を把握した上で適切に操作、調整が行える。
【００４３】
なお、前記実施形態に係る制気口装置においては、吸込口として使用する例を示しているが、これに限らず、吹出口として用いる構成とすることもできる。吹出口の場合、シャッター部は、床下側開口部とシャッター部より上側の制気口本体内部空間との連通状態を変化させ、床下空間から制気口本体内部空間への調和空気流入量、すなわち、空気吹出し量を調整する機構となる。
【００４４】
また、前記実施形態に係る制気口装置においては、シャッター部４０中央部分の円形の貫通孔４２に、同じ円形となる調整ねじ軸３０の頭部３２の上部を嵌合させて、調整ねじ軸３０の頭部３２のシャッター部４０に対する相対回転を許容しつつ、調整ねじ軸３０の頭部３２を上方から操作可能に露出させる構成としているが、この他、調整ねじ軸３０の頭部３２がシャッター部４０に対し相対回転可能で、且つ上方から操作可能に露出するものであれば、シャッター部の貫通孔や調整ねじ軸頭部の形状を前記実施形態とは異なるものに形成する構成とすることもできる。例えば、図７に示すように、調整ねじ軸３０の頭部３４の上部を、円形部分の外側に一又は複数の突出部３４ａが拡張形成された形状とすると共に、シャッター部４０の貫通孔４３を前記突出部３４ａ形状に対応する一又は複数の切欠き部４３ａのある孔形状とすることができる。
この場合、調整ねじ軸３０の頭部３４をシャッター部４０に対し相対回転させて突出部３４ａを貫通孔４３の切欠き部４３ａの位置に一致させた状態でのみ、調整ねじ軸３０の頭部３４をシャッター部４０の貫通孔４３に対し嵌脱可能である。そして、調整ねじ軸３０の頭部３４をシャッター部４０の貫通孔４３に一旦嵌合させてから、調整ねじ軸３０の頭部３４を回転させ、突出部３４ａを貫通孔４３の切欠き部４３ａ位置からずらすと、シャッター部４０と調整ねじ軸３０との係合が解けない状態が得られ（図７（Ｃ）参照）、シャッター部４０に対し意図しない力が加わっても、調整ねじ軸３０からシャッター部４０が外れにくく、上方から調整ねじ軸３０を螺動操作してシャッター部４０の位置を調整できる状態が適切に維持されることとなる。
【００４５】
また、前記実施形態に係る制気口装置においては、制気口本体１０下部の周側面部分に、床下側開口部１３を略矩形状の単純な開口孔として穿設し、開口部周囲の縁部分も略直線状に形成する構成としているが、これに限らず、例えば、図８に示すように、制気口本体１０の床下側開口部１３周囲の縁部分のうち、特に上下方向の縁部分について、制気口装置各部の床パネルへの設置済み状態で空気の吸込み量を所定の代表的な量に設定可能なシャッター部４０の一又は複数の位置に対応する所定高さ位置に、切欠き１４又は凸部１５を設けるなど、縁部分を単純な直線状以外に形成する構成とすることもできる。前記切欠き１４又は凸部１５を設けた場合、制気口装置設置前のシャッター部４０の仮位置設定や、設置後にフェース部２０を取り外して制気口内部を見ながらシャッター部４０位置を調整する際に、切欠き１４又は凸部１５をシャッター部４０の位置合せの目安として用いて、切欠き１４又は凸部１５との位置関係が、求める吸込み量に対応するものとなるように、シャッター部４０を位置させるようにすれば、容易に所望の吸込み量を得られることとなり、調整の手間を大幅に削減できる。
【符号の説明】
【００４６】
１          制気口装置
１０        制気口本体
１２        室内側開口部
１３        床下側開口部
１４        切欠き
１５        凸部
２０        フェース部
２１        孔
２２        段部
３０        調整ねじ軸
３１        ねじ部
３２、３４  頭部
３３        係合穴部
３４ａ      突出部
４０        シャッター部
４１        側壁部
４２、４３  貫通孔
４３ａ      切欠き部
５０        操作用器具
６０        床パネル
６１        設備用開口
６２        床
【図１】
2015021660.tif 000003
【図２】
2015021660.tif 000004
【図３】
2015021660.tif 000005
【図４】
2015021660.tif 000006
【図５】
2015021660.tif 000007
【図６】
2015021660.tif 000008
【図７】
2015021660.tif 000009
【図８】
2015021660.tif 000010